(57)【要約】【課題】製造コストが安く、しかも、外部メモリを選択したときに頭切れが発生することのない映像・音響装置を提供する。【解決手段】ソースの１つとして外部メモリ６の記憶データを含み、外部メモリ６の記憶データを読出した信号が選択されて再生される映像・音響装置において、外部メモリ６に接続され外部メモリ６の記憶データ読出しを制御するＧＵＩ部３と、メインコントローラ１と、を接続するデータ通信用信号線４によりメインコントローラ１がＧＵＩ部３選択動作の完了を通知し、ＧＵＩ部３はこの通知を受信した後に外部メモリ６の記憶データ読出しを開始し外部メモリ６から読出したデータより生成した信号を前記データ通信用信号線４によりメインコントローラ１に送信するように構成した。【選択図】図１
2008167131.tif 000002
【特許請求の範囲】
【請求項１】
ソースの１つとして外部メモリの記憶データを含み、外部メモリの記憶データを読出した信号が選択されて再生される映像・音響装置において、外部メモリに接続され外部メモリの記憶データ読出しを制御するＧＵＩ部と、メインコントローラと、を接続するデータ通信用信号線によりメインコントローラがＧＵＩ部に選択動作の完了を通知し、ＧＵＩ部はこの通知を受信した後に外部メモリの記憶データ読出しを開始し外部メモリから読出したデータより生成した信号を前記データ通信用信号線によりメインコントローラに送信するように構成した映像・音響装置。
【請求項２】
ソースとして外部メモリの記憶データを選択する動作の指示がハードキー及び／又はＧＵＩ部により行われる請求項１の映像・音響装置。
【請求項３】
前記外部メモリはＵＳＢでＧＵＩ部に接続されたＵＳＢメモリである請求項１または２の映像・音響装置。
【発明の詳細な説明】
【技術分野】
【０００１】
この発明は映像・音響装置に係わり、特に、ソースの１つとしてＵＳＢメモリの記憶データから読み出された信号が用いられる映像・音響装置に関する。
【背景技術】
【０００２】
従来から映像・音響装置として、ＵＳＢ（universal seial bus)を介してＵＳＢメモリに記録された信号をソースとして選択し再生する映像・音響装置が知られている。このような映像・音響装置ではハードキーやＧＵＩ（grafical user interface)部でソースを選択し、ＧＵＩ部がＵＳＢを介してＵＳＢメモリに記録された信号を読取り再生信号を生成してメインコントローラに送信する。
【０００３】
この場合、メインコントローラがＧＵＩ部にデータ通信用信号線を用いてＵＳＢメモリを選択することを通知すると、ＵＳＢメモリの起動処理が実行される。一方、メインコントローラのＣＰＵ内部でもソースを選択するセレクタの切換え処理が実行される。
【０００４】
しかしながら、ＵＳＢメモリの選択動作が完了しないうちにＧＵＩ部がＵＳＢメモリの起動処理を実行すると、音声や映像の頭切れが発生する。そこで、メインコントローラがデータ通信用信号線とは別の制御信号線によりＧＵＩ部にセレクタの切換え処理が完了したことを通知し、ＧＵＩ部はその通知を受けた後にＵＳＢメモリの起動処理を実行するようにしていた。
【０００５】
図３にそのような音響装置の例を示す。図３に示す１はＣＰＵ１ａやセレクタ１ｂ等を含むメインコントローラであり、ハードキー２やＧＵＩ部３の指令により動作し、装置全体を制御する。そして、制御信号線９を介してＧＵＩ部３にＵＳＢメモリの選択動作が完了したことを通知する。
【０００６】
ＧＵＩ部３はＵＳＢ５によりＵＳＢメモリ６と接続されており、ＵＳＢメモリ６を制御して、再生信号をデータ通信用信号線５を介してメインコントローラに送信する。ＧＵＩ部３はまたディスプレイとマウスとによる選択やタッチパネル等よる選択の機能も備えている。セレクタ１ｂはＣＰＵ１ａに制御されてＣＤ再生装置７、ＭＤ再生装置８、ＵＳＢメモリ６等のソースを選択する。
【０００７】
上記した図３に示す従来の音響装置では、制御信号線９を介してＧＵＩ部３にＵＳＢメモリの選択動作が完了したことを通知するため、ＣＰＵ１ａの端子が余分に必要となり、ＣＰＵ１ａの端子数が増える。また、制御信号線９を設けるためにプリント基板等が大型となり、さらに、製造コストが増大するという問題があった。
【発明の開示】
【発明が解決しようとする課題】
【０００８】
この発明は上記した点に鑑みてなされたものであって、その目的とするところは、製造コストが安く、しかも、ＵＳＢメモリを選択したときに頭切れが発生することのない映像・音響装置を提供することにある。
【課題を解決するための手段】
【０００９】
この発明の映像・音響装置は、ソースの１つとして外部メモリの記憶データを含み、外部メモリの記憶データを読出した信号が選択されて再生される映像・音響装置において、外部メモリに接続され外部メモリの記憶データ読出しを制御するＧＵＩ部と、メインコントローラと、を接続するデータ通信用信号線によりメインコントローラがＧＵＩ部に選択動作の完了を通知し、ＧＵＩ部はこの通知を受信した後に外部メモリの記憶データ読出しを開始し外部メモリから読出したデータより生成した信号を前記データ通信用信号線によりメインコントローラに送信するように構成したものである。
【００１０】
また、前記映像・音響装置において、ソースとして外部メモリの記憶データを選択する動作の指示がハードキー及び／又はＧＵＩ部により行われるものである。
【００１１】
また、前記各映像・音響装置において、前記外部メモリをＵＳＢでＧＵＩ部に接続されたＵＳＢメモリとしたものである。
【発明の効果】
【００１２】
この発明の映像・音響装置によれば、製造コストが安く、しかも、ＵＳＢメモリを選択したときに頭切れが発生することのない映像・音響装置を提供することができる。
【発明を実施するための最良の形態】
【００１３】
以下この発明を実施するための最良の形態を実施例に即して説明する。図１はこの発明の実施例である音響装置を示すブロック図である。この例ではＧＵＩ部３がデータ通信用信号線４のみによりメインコントローラ１に接続されており、図３に示す制御信号線は用いられていない。そして、データ通信用信号線４により、メインコントローラ１がＧＵＩ部選択動作の完了をＧＵＩ部３に通知する。他の構成は図３により説明した従来の音響装置と同様であり、その詳細な説明を省略する。
【００１４】
次に、図２を参照して実施例の音響装置の動作を説明する。ハードキーまたはＧＵＩ部によりＵＳＢメモリをソースとして選択すると、ＣＰＵはステップＳ１でＵＳＢメモリ選択モードとなる。
【００１５】
次に、ステップＳ２において、ＧＵＩ部３にＵＳＢメモリが選択されたことを通知してステップＳ３に移行する。ステップＳ３では、セレクタを切換えてＵＳＢ再生モードにする。ステップＳ３の動作実行中に定期的にステップＳ４の動作が実行され、セレクタを切換え動作が完了したか否かを判断する。そして、セレクタを切換え動作が完了したと判断すると、ステップＳ５に移行し、完了していないと判断すると、ステップＳ４の動作が継続される。
【００１６】
ステップＳ５では、セレクタを切換え動作が完了したことをデータ通信用信号線４を介してＧＵＩ部３に通知する。ＧＵＩ部３が前記通知を受けると、ステップＳ６において、ＧＵＩ部３がＵＳＢメモリ６から再生信号を得る。
【００１７】
実施例は以上のように構成されているが発明はこれに限られず、例えば、映像機器にこの発明を適用することも可能である。
【図面の簡単な説明】
【００１８】
【図１】この発明の実施例である音響装置を示すブロック図である。
【図２】同音響装置の動作を説明するためのブロック図である。
【図３】従来の音響装置の例を示すブロック図である。
【符号の説明】
【００１９】
１  メインコントローラ、１ａ  ＣＰＵ、１ｂ  セレクタ
２  ハードキー
３  ＧＵＩ部
４  データ通信用信号線
５  ＵＳＢ
６  ＵＳＢメモリ
７  ＣＤ再生装置
８  ＭＤ再生装置
９  制御信号線
【図１】
2008167131.tif 000003
【図２】
2008167131.tif 000004
【図３】
2008167131.tif 000005